(57)【要約】【課題】風などの外力によって係止構造の係止が解除されることがなく、ロック状態を確実に維持して引戸を施錠できる引戸用施解錠装置を提供する。【解決手段】引戸の戸先に設けられる取手枠１５と、揺動一端２９に設けられた係止爪３１が戸先から引戸の閉止方向に突出され、揺動他端に突片３５が設けられるとともに、揺動中心部２７が引戸の戸先木口２１の長手方向に沿う方向の枢軸２５で取手枠１５に回転自在に支持され且つ引戸の閉止で揺動して係止爪３１が戸当たり部４５に設けられた受片４９の受穴５１に係止する指掛部材１７と、取手枠１５にスライド自在に取り付けられ、スライド一端で指掛部材１７の揺動を許容するとともに、スライド他端で係止爪３１を受穴５１に係止した指掛部材１７の突片３５に当接して指掛部材１７の係止爪３１が受穴５１から係止解除される方向の揺動を規制する規制板５９を有した操作摘み１９と、を設けた。【選択図】  図５
2015166517.tif 000002
【特許請求の範囲】
【請求項１】
引戸の戸先に設けられる取手枠と、
揺動一端に設けられた係止爪が前記戸先から前記引戸の閉止方向に突出され  揺動他端に突片が設けられるとともに、揺動中心部が前記引戸の戸先木口の長手方向に沿う方向の枢軸で前記取手枠に回転自在に支持され、且つ前記引戸の閉止で揺動して前記係止爪が戸当たり部に設けられた受片の受穴に係止する指掛部材と、
前記取手枠にスライド自在に取り付けられ、スライド一端で前記指掛部材の揺動を許容するとともに、スライド他端で前記係止爪を前記受穴に係止した前記指掛部材の前記突片に当接して前記指掛部材の前記係止爪が前記受穴から係止解除される方向の揺動を規制する規制部材を有した操作摘みと、
を具備することを特徴とする引戸用施解錠装置。
【請求項２】
請求項１記載の引戸用施解錠装置であって、
前記操作摘みが、前記戸先木口の長手方向に沿う方向にスライド自在であることを特徴とする引戸用施解錠装置。
【請求項３】
請求項１記載の引戸用施解錠装置であって、
前記操作摘みが、前記戸先木口の長手方向に直交する方向にスライド自在であることを特徴とする引戸用施解錠装置。
【発明の詳細な説明】
【技術分野】
【０００１】
本発明は、引戸用施解錠装置に関する。
【背景技術】
【０００２】
引戸をスライドさせるだけでワンタッチで仮締めする引戸用ラッチ錠が知られている（例えば特許文献１参照）。この引戸用ラッチ錠は、スライドラッチとも称され、窓や出入口、家具などの引戸に用いられる。引戸用ラッチ錠は、戸先木口から爪部材が突出され、障子面に指掛部、操作部等が配置される。爪部材は、揺動する構造となっており、引戸が閉められると。建物枠側（戸当たり部側）の受穴に係止爪（カマ等）が係止する。係止部材は、バネによる付勢力で、受穴に対する係止爪の係止状態を保持する。爪部材には、操作部である開放側指掛部が連結されている。係止状態の係止部材は、開放側指掛部が操作れることにより、係止爪が受穴から外される。この引戸用ラッチ錠は、引戸をスライドさせるだけで仮締めができるので、引戸閉鎖時の跳ね返り防止にもなる。
【先行技術文献】
【特許文献】
【０００３】
【特許文献１】特開２００７−１６４００号公報
【発明の概要】
【発明が解決しようとする課題】
【０００４】
しかしながら、従来の引戸用ラッチ錠は、戸が閉まると自動的に仮締め状態となるが、受穴に対して係止爪がバネの付勢力によってのみ係止されている。このため、例えば風などの外力による衝撃で、バネ力に反して係止爪が受穴から外れて引戸や窓が開いたりする不具合がある。
【０００５】
本発明は上記状況に鑑みてなされたもので、その目的は、風などの衝撃による外力によって係止構造の係止が解除されることがなく、ロック状態を確実に維持して引戸を施錠状態にできる引戸用施解錠装置を提供することにある。
【課題を解決するための手段】
【０００６】
次に、上記の課題を解決するための手段を、実施の形態に対応する図面を参照して説明する。
本発明の請求項１記載の引戸用施解錠装置１１は、引戸１３の戸先に設けられる取手枠１５と、
揺動一端２９に設けられた係止爪３１が前記戸先から前記引戸１３の閉止方向に突出され、揺動他端３３に突片３５が設けられるとともに、揺動中心部２７が前記引戸１３の戸先木口２１の長手方向に沿う方向の枢軸２５で前記取手枠１５に回転自在に支持され、且つ前記引戸１３の閉止で揺動して前記係止爪３１が戸当たり部４５に設けられた受片４９の受穴５１に係止する指掛部材１７と、
前記取手枠１５にスライド自在に取り付けられ、スライド一端で前記指掛部材１７の揺動を許容するとともに、スライド他端で前記係止爪３１を前記受穴５１に係止した前記指掛部材１７の前記突片３５に当接して前記指掛部材１７の前記係止爪３１が前記受穴５１から係止解除される方向の揺動を規制する規制部材を有した操作摘み１９と、
を具備することを特徴とする。
【０００７】
この引戸用施解錠装置１１では、取手枠１５の閉止側指掛部２３に手指が引っ掛けられ、引戸１３が閉められると、戸先から突出している係止爪３１が受片４９に乗り上げた後に受穴５１に入り込み係止する。これにより、引戸１３が戸当たり部４５に仮締めされる。指掛部材１７は、枢軸２５を中心に揺動する。揺動一端２９の係止爪３１が受片４９を乗り越える際の揺動と同期して、揺動他端３３の突片３５も揺動する。このとき、操作摘み１９の規制部材（規制板５９）は、突片３５が進入する揺動許容空間７７から退避している。つまり、規制部材は、指掛部材１７の揺動を規制することがない。この状態で閉止された引戸１３は、指掛部材１７の開放側指掛部３７が操作されて揺動されると、揺動一端２９の係止爪３１が受穴５１から退出、つまり係止解除し、引戸１３の開放が可能となる。
一方、引戸１３の閉止状態において、操作摘み１９がロック方向にスライド操作されると、操作摘み１９と一体の規制部材が突片３５の揺動許容空間７７に進入する。揺動許容空間７７に進入した規制部材は、指掛部材１７の突片３５に当たり、突片３５の揺動許容空間７７への進入を規制する。これにより、指掛部材１７は、揺動が規制され、係止爪３１が受穴５１から退出不能となる。その結果、引戸１３は、係止爪３１の係止解除が規制されたロック状態、すなわち施錠状態となる。
【０００８】
本発明の請求項２記載の引戸用施解錠装置１１は、請求項１記載の引戸用施解錠装置１１であって、
前記操作摘み１９が、前記戸先木口２１の長手方向に沿う方向にスライド自在であることを特徴とする。
【０００９】
この引戸用施解錠装置１１では、戸先木口２１に沿って上下に長い取手枠１５に、同方向に長い操作摘み１９が、同方向にスライド自在に設けられることで、取手全体をスリムに形成できる。
【００１０】
本発明の請求項３記載の引戸用施解錠装置７９は、請求項１記載の引戸用施解錠装置１１であって、
前記操作摘み８３が、前記戸先木口２１の長手方向に直交する方向にスライド自在であることを特徴とする。
【００１１】
この引戸用施解錠装置７９では、戸先木口２１の長手方向に直交する方向、すなわち、引戸１３の開閉方向に操作摘み８３がスライドする。これにより、操作摘み８３は、引戸１３の閉止方向にスライドすることで、規制部材（規制突起９５）を揺動許容空間７７に進入させて、引戸１３をロック状態に施錠できる。また、操作摘み８３は、引戸１３の開放方向にスライドすることで、規制部材を揺動許容空間７７から退出させて、引戸１３をロック解錠状態に解錠できる。
【発明の効果】
【００１２】
本発明に係る請求項１記載の引戸用施解錠装置によれば、風などの衝撃による外力によって係止構造の係止が解除されることがなく、ロック状態を確実に維持して引戸を施錠できる。
【００１３】
本発明に係る請求項２記載の引戸用施解錠装置によれば、戸先木口に沿って長い取手枠に、取手枠の長手方向に長く形成した操作摘みを、同方向にスライド自在に違和感なく配置できる。
【００１４】
本発明に係る請求項３記載の引戸用施解錠装置によれば、係止爪のロックを解除するための操作摘みのロック解除方向を、引戸の開き方向に一致させて、解錠操作を操作しやすくできる。
【図面の簡単な説明】
【００１５】
【図１】本発明の実施形態に係る引戸用施解錠装置の正面図である。
【図２】図１に示した引戸用施解錠装置の縦断面図である。
【図３】図２のＡ−Ａ断面図である。
【図４】図２のＢ−Ｂ断面図である。
【図５】図１に示した引戸用施解錠装置の分解平断面図である。
【図６】操作摘みを外した状態の引戸用施解錠装置の縦断面図である。
【図７】閉動開始時の動作説明図である。
【図８】係止爪が受片に当たった時の動作説明図である。
【図９】係止爪が受片に乗りあがった時の動作説明図である。
【図１０】図９の要部縦断面図である。
【図１１】操作摘みが施錠側にスライドされた引戸用施解錠装置の正面図である。
【図１２】図１１の突片近傍の平断面図である。
【図１３】規制部材のガイドピン近傍の縦断面図である。
【図１４】規制部材のクリックピン近傍の縦断面図である。
【図１５】第２実施形態に係る引戸用施解錠装置の分解平断面図である。
【図１６】第２実施形態に係る引戸用施解錠装置において切断して分離した取手枠とともに操作摘み表した分解斜視図である。
【図１７】第２実施形態に係る引戸用施解錠装置の解錠状態の正面図である。
【図１８】第２実施形態に係る引戸用施解錠装置の閉動開始時の動作説明図である。
【図１９】操作摘みが施錠位置にスライドされた第２実施形態に係る引戸用施解錠装置の正面図である。
【図２０】図１９に示した引戸用施解錠装置の規制突起近傍の平断面図である。
【発明を実施するための形態】
【００１６】
以下、本発明に係る実施形態を図面を参照して説明する。
図１は本発明の実施形態に係る引戸用施解錠装置の正面図、図２は図１に示した引戸用施解錠装置の縦断面図、図３は図２のＡ−Ａ断面図、図４は図２のＢ−Ｂ断面図、図５は図１に示した引戸用施解錠装置の分解平断面図、図６は操作摘みを外した状態の引戸用施解錠装置の縦断面図である。
本実施形態に係る引戸用施解錠装置１１は、例えば建物開口部を、直線移動されて開閉する引戸１３に用いて好適となる。引戸用施解錠装置１１は、取手枠１５と、指掛部材１７と、操作摘み１９と、を有する。
【００１７】
取手枠１５は、引戸１３における戸先木口２１（図５参照）の引戸表裏面の一方に、上下に長い矩形状枠状となって取り付けられる。この取手枠１５の戸先側の内壁面は、閉止側指掛部２３となる。図２に示すように、取手枠１５には、引戸１３の戸先木口２１の長手方向（図２の上下方向）に沿う方向の枢軸２５が支持されている。この枢軸２５には、図５に示す指掛部材１７の揺動中心部２７が揺動自在に支持される。枢軸２５に揺動中心部２７が支持された指掛部材１７の揺動一端２９には図５に示す係止爪３１が設けられ、係止爪３１は戸先から引戸１３の閉止方向に突出される（図７参照）。また、指掛部材１７の揺動他端３３には図５に示す突片３５が設けられる。
【００１８】
指掛部材１７には、揺動中心部２７から揺動他端３３に向かって延出する開放側指掛部３７が形成されている。開放側指掛部３７は、取手枠１５の内方で、閉止側指掛部２３に対して手指の入る間隙を隔てて対向配置されている。閉止側指掛部２３は、取手枠１５と一体に固定され、手指が引っ掛けられることで引戸１３を閉止方向へ移動させる。指掛部材１７は、揺動自在となることで、引戸１３の閉止状態から、先ず、開放側指掛部３７に手指が引っ掛けられると、図５に示す時計回りに回転した後、引戸１３を開放方向へ移動させる。指掛部材１７は、指掛付勢バネ３９によって図５の反時計回りに回転付勢される。
【００１９】
なお、枢軸２５には、指掛部材１７とともに、表示体４１が回転自在に取り付けられている。
【００２０】
建物開口部には図５に示す戸枠部４３が設けられる。戸枠部４３には、引戸１３の戸先木口２１が当たる戸当たり部４５が設けられる。この戸当たり部４５には、例えばＬ字状に折り曲げられた受部材４７が、戸先木口２１に向かって受片４９が突出するようにして固定される。戸当たり部４５から突出した受片４９には、受穴５１が穿設される。指掛部材１７は、引戸１３が閉止される際、この受片４９に係止爪３１が当たって揺動する。受片４９に係止爪３１が当たった指掛部材１７は、さらに引戸１３が閉められることで、指掛付勢バネ３９に抗して揺動し、係止爪３１が受片４９に乗り上げた後に受穴５１に係止する。
【００２１】
図６に示すように、取手枠１５には矩形状の摘み収容部５３が形成されている。摘み収容部５３の戸先木口２１と平行な内壁面には、上下に長いガイド穴５５と、円形状の取付穴５７と、が形成される。この摘み収容部５３のガイド穴５５の近傍には、指掛部材１７の突片３５が進退自在となる。摘み収容部５３には、操作摘み１９の規制部材である規制板５９が配置される。規制板５９は、摘み収容部５３の上下方向の寸法よりも高さが小さく形成される。これにより、摘み収容部５３に規制板５９を配置した操作摘み１９は、上下方向にスライド移動が可能となっている。規制板５９にはガイドピン６１が突設され、ガイドピン６１はガイド穴５５に係合することでスライドが案内される。
【００２２】
また、規制板５９には上下に長い図６に示すバネ収容穴６３が穿設される。バネ収容穴６３にはクリックバネ６５が収容される。クリックバネ６５は、上下の内側が大内径部６７で、上下方向の中央が幅狭となる略ループ状に形成される。このクリックバネ６５の内側には、上記の取付穴５７に固定された図５に示すクリックピン６９が挿入される。クリックピン６９は、例えばＥリング７１などによって抜け止めされる。クリックピン６９は、クリックバネ中央の幅狭部７３よりも若干外径が大きく形成されている。これにより、規制板５９は、上下何れか一方の大内径部６７にクリックピン６９が配置されるように付勢される。規制板５９には、取手枠１５の表面に表出する摘み部７５が形成されている。摘み部７５は、上下に長い矩形板状に形成され、手指によってスライド操作が可能となる。このように、操作摘み１９は、戸先木口２１の長手方向に沿う方向にスライド自在となっている。
【００２３】
操作摘み１９は、このようにして取手枠１５にスライド自在に取り付けられ、図３，図４に示すスライド一端で指掛部材１７の揺動を許容する。すなわち、規制板５９がスライド一端のとき、摘み収容部５３の上部には、図３に示す揺動許容空間７７を形成する。その揺動許容空間７７は、操作摘み１９が上方へスライドされる（図１３参照）ことにより封鎖される。これにより、操作摘み１９は、スライド他端で、係止爪３１を受穴５１に係止した指掛部材１７の突片３５に規制板５９を当接して、係止爪３１が受穴５１から係止解除される方向の指掛部材１７の揺動を規制するようになっている。
【００２４】
次に、上記構成を有する引戸用施解錠装置１１の作用を説明する。
図７は閉動開始時の動作説明図、図８は係止爪３１が受片４９に当たった時の動作説明図、図９は係止爪３１が受片４９に乗りあがった時の動作説明図、図１０は図９の要部縦断面図、図１１は操作摘み１９が施錠側にスライドされた引戸用施解錠装置１１の正面図、図１２は図１１の突片近傍の平断面図、図１３は規制部材のガイドピン近傍の縦断面図、図１４は規制部材のクリックピン近傍の縦断面図である。
引戸用施解錠装置１１では、図７に示すように、取手枠１５の閉止側指掛部２３に手指が引っ掛けられ、引戸１３が閉められる。
【００２５】
図８に示すように、引戸１３は、戸当たり部４５に当たる直前で、係止爪３１が受片４９に当たる。その状態でさらに引戸１３が閉められると、図９に示すように、戸先から突出している係止爪３１が受片４９に乗り上げた後に、受穴５１に入り込み係止する。この際、図１０に示すように、指掛部材１７は、突片３５が揺動許容空間７７に進入することで、揺動が可能となる。これにより、引戸１３が戸当たり部４５に仮締めされる。
【００２６】
指掛部材１７は、枢軸２５を中心に揺動する。揺動一端２９の係止爪３１が受片４９を乗り越える際の揺動と同期して、揺動他端３３の突片３５も揺動する。このとき、操作摘み１９の規制板５９は、図９に示すように、突片３５が揺動許容空間７７から退避している。つまり、規制板５９は、指掛部材１７の揺動を規制することがない。この状態で閉止された引戸１３は、開放側指掛部３７が操作されると、図１０に示すように、突片３５が揺動許容空間７７に進入して揺動が可能となる。これにより、揺動一端２９の係止爪３１が受穴５１から退出、すなわち係止解除となり、引戸１３の開放が可能となる。
【００２７】
一方、引戸１３の閉止状態において、図１１に示すように、操作摘み１９がロック方向（図１１の上方向）にスライド操作されると、操作摘み１９と一体の規制板５９が突片３５の揺動許容空間７７に進入する。揺動許容空間７７に進入した規制部材は、図１２に示すように、指掛部材１７の突片３５に当たる。これにより、図１３，図１４に示すように、突片３５の揺動許容空間７７への進入を規制する。指掛部材１７は、揺動が規制され、係止爪３１が受穴５１から退出不能となる。その結果、引戸１３は、係止爪３１の係止解除が規制されたロック状態、すなわち施錠状態となる。
【００２８】
また、引戸用施解錠装置１１では、戸先木口２１に沿って上下に長い取手枠１５に、同方向に長い操作摘み１９が、同方向にスライド自在に設けられている。これにより、取手全体をスリムに形成することができる。その結果、取手枠１５に操作摘み１９を違和感なく配置でき、見栄えが良好となる。
【００２９】
次に、本発明の第２実施形態に係る引戸用施解錠装置７９について説明する。
図１５は第２実施形態に係る引戸用施解錠装置７９の分解平断面図、図１６は第２実施形態に係る引戸用施解錠装置７９において切断して分離した取手枠８１とともに操作摘み８３を表した分解斜視図、図１７は解錠状態の引戸用施解錠装置７９の正面図である。なお、図１〜図６に示した部材と同一の部材には同一の符号を付し重複する説明は省略する。
この引戸用施解錠装置７９は、操作摘み８３が、戸先木口２１の長手方向に直交する方向（図１７の左右方向）にスライド自在に設けられている。図１５に示すように、指掛部材８５は、開放側指掛部３７の背面側となる揺動他端３３に、Ｖ字状の揺動当接部８７を有する。この第２実施形態では揺動当接部８７は、枢軸２５に沿う方向で一対で構成される。
【００３０】
操作摘み８３は、摘み部８９が表面に突設されたスライド板９１の背面に、一対の平行な脚部９３が離間して突出される。それぞれの脚部９３の先端には、外側に突出する規制部材である規制突起９５が突設される。スライド板９１には、一対の脚部９３の間に、クリックピン６９が突設される。
【００３１】
図１６に示すように、取手枠８１には、クリックバネ６５が挿入されるバネ収容穴６３が穿設される。バネ収容穴６３には、クリックバネ６５が収容される。取手枠８１には、バネ収容穴６３の上下に脚部９３をスライド自在に挿入する脚部挿入穴９７が穿設される。取手枠８１には、バネ収容穴６３の奥側に溝部９９が形成される。この溝部９９には、バネ収容穴６３を貫通したクリックピン６９の先端が配置される。溝部９９に挿入されたクリックピン６９の先端にはＥリング７１が係合される。Ｅリング７１は、クリックピン６９のバネ収容穴６３からの脱落を規制する。これにより、摘み部８９は、バネ収容穴６３の長手方向に沿ってスライド自在となっている。それぞれの脚部挿入穴９７の奥側には、揺動許容空間７７が形成される。この揺動許容空間７７には、指掛部材８５の揺動当接部８７が進退するようになっている。
【００３２】
次に、引戸用施解錠装置７９の作用を説明する。
図１８は第２実施形態に係る引戸用施解錠装置７９の閉動開始時の動作説明図、図１９は操作摘み８３が施錠位置にスライドされた第２実施形態に係る引戸用施解錠装置７９の正面図、図２０は図１９に示した引戸用施解錠装置７９の規制突起近傍の平断面図である。
この引戸用施解錠装置７９では、図１８に示すように、取手枠８１の閉止側指掛部２３に手指が引っ掛けられ、引戸１３が閉められる。
【００３３】
以下、上記構成の引戸用施解錠装置１１の場合と同様に、戸先から突出している係止爪３１が受片４９に乗り上げた後に、受穴５１に入り込み係止する。この際、図１８に示すように、指掛部材８５は、揺動当接部８７が揺動許容空間７７に進入することで、揺動が可能となる。これにより、引戸１３が戸当たり部４５に仮締めされる。
【００３４】
一方、引戸１３の閉止状態において、図１９に示すように、操作摘み８３がロック方向（図１９の右向）にスライド操作されると、図２０に示すように、摘み部８９と一体の規制突起９５が揺動許容空間７７に進入する。揺動許容空間７７に進入した規制突起９５は、指掛部材８５の揺動当接部８７に当たる。これにより、揺動当接部８７の揺動許容空間７７への進入を規制する。指掛部材８５は、揺動が規制され、係止爪３１が受穴５１から退出不能となる。その結果、引戸１３は、係止爪３１の係止解除が規制されたロック状態、すなわち、施錠状態となる。
【００３５】
そして、この引戸用施解錠装置７９では、戸先木口２１の長手方向に直交する方向、すなわち、引戸１３の開閉方向に操作摘み８３がスライドする。これにより、操作摘み８３は、引戸１３の閉止方向にスライドすることで、規制突起９５を揺動許容空間７７に進入させて、引戸１３をロック状態に施錠できる。また、操作摘み８３は、引戸１３の開放方向にスライドすることで、規制突起９５を揺動許容空間７７から退出させて、引戸１３をロック解錠状態に解錠できる。その結果、係止爪３１のロックを解除するための操作摘み８３のロック解除方向を、引戸１３の開き方向に一致させて、解錠操作を操作しやすくできる。
【００３６】
従って、本実施形態に係る引戸用施解錠装置１１、引戸用施解錠装置７９によれば、風などの衝撃による外力によって係止構造の係止が解除されることがなく、ロック状態を確実に維持して引戸１３を施錠できる。
【符号の説明】
【００３７】
１１…引戸用施解錠装置
１３…引戸
１５…取手枠
１７…指掛部材
１９…操作摘み
２１…戸先木口
２５…枢軸
２７…揺動中心部
２９…揺動一端
３１…係止爪
３３…揺動他端
３５…突片
４５…戸当たり部
４９…受片
５１…受穴
５９…規制部材（規制板）
９５…規制部材（規制突起）
【図１】
2015166517.tif 000003
【図２】
2015166517.tif 000004
【図３】
2015166517.tif 000005
【図４】
2015166517.tif 000006
【図５】
2015166517.tif 000007
【図６】
2015166517.tif 000008
【図７】
2015166517.tif 000009
【図８】
2015166517.tif 000010
【図９】
2015166517.tif 000011
【図１０】
2015166517.tif 000012
【図１１】
2015166517.tif 000013
【図１２】
2015166517.tif 000014
【図１３】
2015166517.tif 000015
【図１４】
2015166517.tif 000016
【図１５】
2015166517.tif 000017
【図１６】
2015166517.tif 000018
【図１７】
2015166517.tif 000019
【図１８】
2015166517.tif 000020
【図１９】
2015166517.tif 000021
【図２０】
2015166517.tif 000022